(57)【要約】【課題】  画像オークションにおいて、非道徳的な画像データが流出しないようにする。【解決手段】  画像オークション方法であって、画像オークション装置１０２は、取引される画像の題名を取得し、当該取得された画像の題名に不倫理項目があるか否かを判断し、取得された画像の題名に不倫理項目がない場合、事故に関する項目が否かを判断し、取得された画像の題名が事故に関する項目でない場合、事件に関する項目であるか否かを判断し、取得された画像の題名が事件に関する項目でない場合、性に関する項目であるか否かを判断し、取得された画像の題名が性に関する項目でない場合、画像オークション装置１０２が備える画像オークションデータ蓄積部１０２５に画像を登録する。【選択図】  図１
2006092002.tif 000002
【特許請求の範囲】
【請求項１】
画像オークションを行なうための画像オークション装置であって、
前記画像オークションで取引されるデータを登録するためのサイトを管理する画像オークションデータ登録サイト管理部と、
前記画像オークションで公開できなかった場合に、画像データの提供者に公開できなかった旨を通知するとともに、前記画像データが画像データ購入装置に落札された場合、落札後に前記画像データの提供者に落札された旨を通知する画像オークションデータ結果通知処理部と、
前記画像データを前記画像データ購入装置に送信し、かつ前記画像データを暗号化し、当該暗号化をとく鍵を発行するとともに当該鍵を前記画像データ購入装置に送付する画像オークションデータ処理部と、
提供された画像データが公開するのに適したものか否かを判断するために用いられる画像データベースを備えるオークションデータ判別処理部と、
公開するのに適しているか否かが判断された後の画像データを蓄積するオークションデータ蓄積部と、を備えることを特徴とする画像オークション装置。
【請求項２】
画像オークションを行なうための画像オークション装置と、当該画像オークションで取引される画像を購入する画像購入装置とで行なわれる画像オークション方法であって、
前記画像オークション装置は、取引される画像の題名を取得し、
当該取得された画像の題名に不倫理項目があるか否かを判断し、
前記取得された画像の題名に不倫理項目がない場合、事故に関する項目であるか否かを判断し、
前記取得された画像の題名が事故に関する項目でない場合、事件に関する項目であるか否かを判断し、
前記取得された画像の題名が事件に関する項目でない場合、性に関する項目であるか否かを判断し、
前記取得された画像の題名が性に関する項目でない場合、前記画像オークション装置が備える画像オークションデータ蓄積部に前記取得された画像を登録することを特徴とする画像オークション方法。
【請求項３】
前記取得された画像の題名に不倫理項目がある場合、前記画像オークション装置の不倫理画像データベースに蓄積される不倫理画像を検索し、
前記画像オークションの取引対象となる画像が、前記検索された不倫理画像に該当するか否かを判断し、
前記不倫理画像に該当しなければ、前記画像オークションデータ蓄積部に前記画像を登録することを特徴とする請求項２記載の画像オークション方法。
【請求項４】
前記不倫理画像に該当する場合、前記画像オークションで取引される画像の不倫理箇所を抽出するとともに加工し、
加工された不倫理画像を目視し、公開に適しているか否かを判断し、
公開に適していれば、前記画像オークションデータ蓄積部に前記画像を登録することを特徴とする請求項３記載の画像オークション方法。
【請求項５】
前記加工された不倫理画像を目視した結果、公開に適していない場合、前記画像を削除して、前記画像の提供者に不採用であることを通知することを特徴とする請求項４記載の画像オークション方法。
【請求項６】
画像オークション装置で行なわれる画像オークションを行なうためのプログラムであって、
前記画像オークション装置に、取引される画像の題名を取得させ、
当該取得された画像の題名に不倫理項目があるか否かを判断させ、
前記取得された画像の題名に不倫理項目がない場合、事故に関する項目が否かを判断させ、
前記取得された画像の題名が事故に関する項目でない場合、事件に関する項目であるか否かを判断させ、
前記取得された画像の題名が事件に関する項目でない場合、性に関する項目であるか否かを判断させ、
前記取得された画像の題名が性に関する項目でない場合、前記画像オークション装置が備える画像オークションデータ蓄積部に前記画像を登録させることを特徴とする画像オークションを行なうためのプログラム。
【請求項７】
前記取得された画像の題名に不倫理項目がある場合、前記画像オークション装置の不倫理画像データベースに蓄積される不倫理画像を検索させ、
前記画像オークションの取引対象となる画像が、前記検索された不倫理画像に該当するか否かを判断させ、
前記不倫理画像に該当しなければ、前記画像オークションデータ蓄積部に前記画像を登録させることを特徴とする請求項６記載の画像オークションを行なうためのプログラム。
【請求項８】
前記不倫理画像に該当する場合、前記画像オークションで取引される画像の不倫理箇所を抽出するとともに加工させ、
加工された不倫理画像を目視し、公開に適しているか否かを判断させ、
公開に適していれば、前記画像オークションデータ蓄積部に前記画像を登録させることを特徴とする請求項７記載の画像オークションを行なうためのプログラム。
【請求項９】
前記加工された不倫理画像を目視した結果、公開に適していない場合、前記画像を削除させて、前記画像の提供者に不採用であることを通知させることを特徴とする請求項８記載の画像オークションを行なうためのプログラム。
【発明の詳細な説明】
【技術分野】
【０００１】
本発明は、画像オークション装置、画像オークション方法及びそのプログラムに関し、特に、不倫理画像の公開を自動的に防止する画像オークション装置、画像オークション方法及びそのプログラムに関する。
【背景技術】
【０００２】
近年、インターネットなどのネットワーク上で画像データを、オークションにかけて売買する画像オークションという取引形態が数多く見られる。
【０００３】
オークションとは、ある商品について参加者がその商品の値段を提示して、値段を競い、最終的に一番高い値段を提示した人が落札するという売買形態のことをいう。
【０００４】
この取引をインターネット上で行なう売買形態が、近年、よく見られており、画像オークションとはこの売買形態で画像データを売買することをいう。
【０００５】
この画像オークションに関係する従来技術として、代表的なものとしては、下記に示す特許文献があげられる。
【０００６】
特許文献１には、光信号を電気信号に変換する固体撮像素子と、アナログ信号をデジタル信号に変換するＡ／Ｄ変換器と、前記デジタル信号から所要のデジタル映像信号を生成するデジタル信号処理部と、テンプレート映像データに基づいてデジタル映像信号を検索しモザイク処理を付与すべきテンプレート映像領域を抽出するテンプレート映像領域抽出部と、前記デジタル映像信号にモザイク処理を付与するモザイク処理部と、前記デジタル映像信号のうちに前記抽出されたテンプレート映像領域に該当する領域が存在するときは前記モザイク処理部からのモザイク処理が付与されたデジタル映像信号を選択し、存在しないときは前記デジタル信号処理部からの通常のデジタル映像信号を選択する信号切り換え部と、前記選択されたデジタル映像信号をアナログ信号に変換するＤ／Ａ変換器とを備えているモザイク機能付きの撮像装置が開示されている。
【０００７】
特許文献２には、一駒の画像に含まれる肌色の割合を算出する算出手段、上記算出手段によって算出された肌色の割合が所定のしきい値以下であるかどうかを判定する第１の判定手段、および、上記第１の判定手段によって、肌色の割合が所定のしきい値以下であると判定された画像を表す画像データを公開可能画像データとして画像データベースに格納し、肌色の割合が所定のしきい値より多いと判定された画像を表す画像データを検閲対象画像データとして上記画像データベースに格納する第１の画像データベース制御手段、を備えた画像検閲システムが開示されている。
【０００８】
特許文献３には、審査支援システムに特徴を有する通信ネットワーク上の投稿閲覧システムであって、次の要件（１）〜（８）を備える審査支援システムが開示されている。
（１）投稿者として登録された投稿会員にＩＤを発行し、各会員のＩＤ・名前・住所・電子メールアドレスなどの会員登録データを会員名簿として管理する。
（２）通信ネットワークを通じて前記会員が投稿してきた文字データ、静止画データ、動画データ、または音声データのうち少なくとも何れか一つを含む投稿データを前記会員登録データと対応づけし、審査対象投稿データとして蓄積する。
（３）前記審査対象投稿データの中から所定の審査プロセスにて合格と判断された審査済み投稿データを閲覧用データベースに掲載する。
（４）前記通信ネットワークを通じてアクセスしてきたビジターに対して前記閲覧用データベースに掲載されている前記審査済み投稿データを検索閲覧に供する。
（５）前記審査プロセスで適用される審査基準データが用意されている。
（６）前記審査プロセスにおいて審査作業者が使用する情報処理端末のモニタに前記審査対象投稿データと前記審査基準データとを対応づけした形式の審査画面を表示する。この審査画面中の各審査項目には審査結果を記入する記入欄がある。
（７）前記審査画面の前記記入欄に前記審査作業者が記入した前記審査結果に従って該当の審査対象投稿データの合格・不合格・保留を判定する。この審査プロセスを経た前記投稿データと前記会員登録データと前記審査結果のデータとを対応づけし、前記審査済み投稿データとして蓄積する。
（８）前記審査プロセスで合格と判定されなかった前記投稿データについては、投稿してきた前記会員に対して該当の審査結果を通知する電子メールを発行する。
【特許文献１】特開２００１−０８６４０７号公報
【特許文献２】特開２００４−０５４４５２号公報
【特許文献３】特開平１１−３０６１００号公報
【発明の開示】
【発明が解決しようとする課題】
【０００９】
上記したように従来技術では、画像オークションにかける画像データが公開に適するものであるか否かは、画像データを提供するメディア側で行なう判断にゆだねられるため、非道徳的な画像データが流出することがあった。
【００１０】
そこで、本発明は、非道徳的な画像データが流出しない画像オークション方法を提供することを目的とする。
【課題を解決するための手段】
【００１１】
本発明は、上記課題を解決するための手段として、画像オークションを行なうための画像オークション装置であって、前記画像オークションで取引されるデータを登録するためのサイトを管理する画像オークションデータ登録サイト管理部と、前記画像オークションで公開できなかった場合に、画像データの提供者に公開できなかった旨を通知するとともに、前記画像データが画像データ購入装置に落札された場合、落札後に前記画像データの提供者に落札された旨を通知する画像オークションデータ結果通知処理部と、前記画像データを前記画像データ購入装置に送信し、かつ前記画像データを暗号化し、当該暗号化をとく鍵を発行するとともに当該鍵を前記画像データ購入装置に送付する画像オークションデータ処理部と、提供された画像データが公開するのに適したものか否かを判断するために用いられる画像データベースを備えるオークションデータ判別処理部と、公開するのに適しているか否かが判断された後の画像データを蓄積するオークションデータ蓄積部と、を備えることを特徴とする。
【００１２】
また、本発明は、画像オークションを行なうための画像オークション装置と、当該画像オークションで取引される画像を購入する画像購入装置とで行なわれる画像オークション方法であって、前記画像オークション装置は、取引される画像の題名を取得し、当該取得された画像の題名に不倫理項目があるか否かを判断し、前記取得された画像の題名に不倫理項目がない場合、事故に関する項目であるか否かを判断し、前記取得された画像の題名が事故に関する項目でない場合、事件に関する項目であるか否かを判断し、前記取得された画像の題名が事件に関する項目でない場合、性に関する項目であるか否かを判断し、前記取得された画像の題名が性に関する項目でない場合、前記画像オークション装置が備える画像オークションデータ蓄積部に前記取得された画像を登録することを特徴とする。
【００１３】
また、本発明は、前記取得された画像の題名に不倫理項目がある場合、前記画像オークション装置の不倫理画像データベースに蓄積される不倫理画像を検索し、前記画像オークションの取引対象となる画像が、前記検索された不倫理画像に該当するか否かを判断し、前記不倫理画像に該当しなければ、前記画像オークションデータ蓄積部に前記画像を登録することを特徴とする。
【００１４】
また、本発明は、前記不倫理画像に該当する場合、前記画像オークションで取引される画像の不倫理箇所を抽出するとともに加工し、加工された不倫理画像を目視し、公開に適しているか否かを判断し、公開に適していれば、前記画像オークションデータ蓄積部に前記画像を登録することを特徴とする。
【００１５】
また、本発明は、前記加工された不倫理画像を目視した結果、公開に適していない場合、前記画像を削除して、前記画像の提供者に不採用であることを通知することを特徴とする。
【００１６】
また、本発明は、画像オークション装置で行なわれる画像オークションを行なうためのプログラムであって、前記画像オークション装置に、取引される画像の題名を取得させ、当該取得された画像の題名に不倫理項目があるか否かを判断させ、前記取得された画像の題名に不倫理項目がない場合、事故に関する項目が否かを判断させ、前記取得された画像の題名が事故に関する項目でない場合、事件に関する項目であるか否かを判断させ、前記取得された画像の題名が事件に関する項目でない場合、性に関する項目であるか否かを判断させ、前記取得された画像の題名が性に関する項目でない場合、前記画像オークション装置が備える画像オークションデータ蓄積部に前記画像を登録させることを特徴とする。
【００１７】
また、本発明は、前記取得された画像の題名に不倫理項目がある場合、前記画像オークション装置の不倫理画像データベースに蓄積される不倫理画像を検索させ、前記画像オークションの取引対象となる画像が、前記検索された不倫理画像に該当するか否かを判断させ、前記不倫理画像に該当しなければ、前記画像オークションデータ蓄積部に前記画像を登録させることを特徴とする。
【００１８】
また、本発明は、前記不倫理画像に該当する場合、前記画像オークションで取引される画像の不倫理箇所を抽出するとともに加工させ、加工された不倫理画像を目視し、公開に適しているか否かを判断させ、公開に適していれば、前記画像オークションデータ蓄積部に前記画像を登録させることを特徴とする。
【００１９】
また、本発明は、前記加工された不倫理画像を目視した結果、公開に適していない場合、前記画像を削除させて、前記画像の提供者に不採用であることを通知させることを特徴とする。
【発明の効果】
【００２０】
本発明によれば、画像オークションにかける画像データが非道徳なものであるか否かが参照できる画像データベースを有するので、非道徳な画像データが流出することを防ぐことができる。
【発明を実施するための最良の形態】
【００２１】
以下、添付図面を参照して本発明を実施するための最良の実施の形態を説明する。
【００２２】
［構成の説明］
図１は、本発明の第１の実施の形態としての画像オークションシステムを示すブロック図である。
【００２３】
図１に示すように、本実施の形態の画像オークションシステムは、画像オークションで売買する画像データを提供する、携帯電話機などの携帯通信端末１０１と、画像オークションを開催する画像オークション装置１０２と、画像データを購入する画像データ購入装置１０３と、画像データを購入する画像データ購入装置１０４と、画像データを購入する画像データ購入装置１０５と、を備えている。
【００２４】
画像オークション装置１０２は、ネットワーク２００を介して携帯通信端末１０１と接続され、ネットワーク３００を介して画像データ購入装置１０３、画像データ購入装置１０４及び画像データ購入装置１０５と接続されている。
【００２５】
画像オークション装置１０２は、画像オークションデータを登録するためのサイトを管理する画像オークションデータ登録サイト管理部１０２１と、画像オークションで公開できなかった場合に画像データの提供者にその旨を通知するとともに、画像データが画像データ購入装置１０３−１０５に落札された場合の落札後に画像データの提供者にその旨を通知する画像オークションデータ結果通知処理部１０２２と、画像データを画像データ購入装置１０３−１０５に送信し、画像データを暗号化し、暗号化をとく鍵を送信する鍵を発行し、この鍵を画像データ購入装置１０３−１０５に送付する画像オークションデータ処理部１０２３と、提供された画像データが公開するのに適したものか否かを判断するために用いられる画像データベースを備えるオークションデータ判別処理部１０２４と、公開するのに適しているか否かが判断された後の画像データを蓄積するオークションデータ蓄積部１０２５と、を備えている。
【００２６】
［動作の説明］
図２は、本実施の形態の動作を示すフローチャートである。
【００２７】
図２に示すように、本実施の形態では、携帯電話機１０１によって画像オークションにおいて取引する画像を撮影し、その画像に題名をつける（ステップＳ１０１）。
【００２８】
次いで、画像オークションを行なうためのサイトを管理するオークションデータ登録サイト処理部１０２１に撮影した画像を送信し、オークションデータ登録サイト処理部１０２１に画像を登録する（ステップＳ１０２）。
【００２９】
登録された画像は、オークションのために公開することが可能であるか否かをあらかじめ設定された判定基準に従って判定する（ステップＳ１０３）。
【００３０】
公開できると判定された場合、登録された画像を画像オークション公開サイトに掲載した後、画像オークションサイト内にある画像オークションデータ蓄積部１０２５に送信する（ステップＳ１０４）。
【００３１】
その後、落札されたら、画像、画像の利用権及び暗号化をとく鍵を画像データ購入装置１０３−１０５に送信する（ステップＳ１０５）。
【００３２】
画像オークション公開サイトに掲載されている画像オークションデータリスト、購入金額及び落札時の連絡先等を登録して（ステップＳ１０６）、処理は終了する。
【００３３】
図３は、画像オークションに登録された画像が、不倫理（不道徳）画像を含むか否かを判断する際の動作を示すフローチャートである。
【００３４】
図３に示すように、まず、携帯電話機１０１から送信された画像の題名を含むか否かを取り込む（ステップＳ２００）。
【００３５】
取り込んだ題名中に不倫理項目がある否かを判断する（ステップＳ２０１）。
【００３６】
取り込んだ題名中に不倫理項目がなければ（ステップＳ２０１／Ｎｏ）、事故に関する項目であるか否かを判断する（ステップＳ２０２）。
【００３７】
取り込んだ題名中に事故に関する項目がなければ（ステップＳ２０２／Ｎｏ）、事件に関する項目であるか否かを判断する（ステップＳ２０３）。
【００３８】
取り込んだ題名中に事件に関する項目がなければ（ステップＳ２０３／Ｎｏ）、性に関する項目であるか否かを判断する（ステップＳ２０４）
性に関する項目がなければ（ステップＳ２０４／Ｎｏ）、画像オークションデータ蓄積部１０２５に画像を登録して（ステップＳ２１０）、処理は終了する。
【００３９】
また、題名中に不倫理項目がある場合（ステップＳ２０１／Ｙｅｓ）、不倫理画像データベースから不倫理画像を検索する（ステップＳ２０５）。
【００４０】
提供された画像オークションの対象となる画像は、不倫理画像データベースから検索された画像に該当するか否かを判断する（ステップＳ２０６）。
【００４１】
不倫理画像データベースから検索された画像に該当しなければ（ステップＳ２０６／Ｎｏ）、画像オークションデータ蓄積部１０２５に画像を登録して（ステップＳ２１０）、処理は終了する。
【００４２】
また、不倫理画像データベースから検索された画像に該当すれば（ステップＳ２０６／Ｙｅｓ）、不倫理画像の不倫理箇所を抽出し、加工する（ステップＳ２０７）。
【００４３】
加工済みの不倫理画像を画像オークション管理者が所有する不倫理画像チェック用のデータベースに送信する（ステップＳ２０８）。
【００４４】
加工済みの不倫理画像を目視して、公開に適しているか否かを判断する（ステップＳ２０９）。
【００４５】
公開に適していれば（ステップＳ２０９／Ｙｅｓ）、画像オークションデータ蓄積部１０２５に画像を登録して（ステップＳ２１０）、処理は終了する。
【００４６】
公開に適していなければ（ステップＳ２０９／Ｎｏ）、不倫理画像を削除して、画像オークション提供者に不採用であることを通知して（ステップＳ２１１）、処理は終了する。
【００４７】
［発明の他の実施例］
上記の実施の形態では、携帯電話端末から提供される画像オークションデータに関して記述したが、携帯電話端末ではなくその他のインターネットに接続できる機器から画像オークションデータを提供する構成でもかまわない。
【００４８】
また、画像オークションデータの提供者に関して、実施の形態では制限していないが、会員性、提供者半固定（画像オークションデータ登録サイトＵＲＬを専門的な雑誌のみに掲載する。）とすることも考えられる。
【図面の簡単な説明】
【００４９】
【図１】本発明の第１の実施の形態としての画像オークションシステムを示すブロック図である。
【図２】本発明の第１の実施の形態の動作を示すフローチャートである。
【図３】本発明の実施の形態において、画像オークションに登録された画像が、不倫理（不道徳）画像を含むか否かを判断する際の動作を示すフローチャートである。
【符号の説明】
【００５０】
１０１  携帯電話機
１０２  画像オークション装置
１０３  画像データ購入装置
１０４  画像データ購入装置
１０５  画像データ購入装置
１０２１  画像オークションデータ登録サイト管理部
１０２２  画像オークションデータ結果通知処理部
１０２３  画像オークションデータ処理部
１０２４  オークションデータ判別処理部
２００  ネットワーク
３００  ネットワーク
【図１】
2006092002.tif 000003
【図２】
2006092002.tif 000004
【図３】
2006092002.tif 000005